(57)【要約】  記録情報を記録可能な記録情報記録領域（１０２）と、記録情報を暗号化するための暗号化情報（Ｋｅｙ１）が予めプリ記録された暗号化情報記録領域（ＣＤＺ）とを備えており、暗号化情報記録領域は、少なくともその一部に記録情報記録領域とは異なる物理構造を持つ特殊領域（ＣＤＺａ）を含む。【特許請求の範囲】
【請求項１】
記録情報を記録可能な記録情報記録領域と、
前記記録情報を暗号化するための暗号化情報が予めプリ記録された暗号化情報記録領域と
を備えており、
前記暗号化情報記録領域は、少なくともその一部に前記記録情報記録領域とは異なる物理構造を持つ特殊領域を含むことを特徴とする情報記録媒体。
【請求項２】
前記記録情報記録領域においては、前記記録情報を記録するための記録トラックが蛇行することによって、ウォブルが形成されており、前記特殊領域においては、前記暗号化情報を記録するための記録トラックが蛇行しないことによって、ウォブルが形成されていないことを特徴とする請求の範囲第１項に記載の情報記録媒体。
【請求項３】
前記記録情報記録領域においては、前記記録情報を記録するための記録トラックが蛇行することによって、ウォブルが形成されており、
前記特殊領域においては、前記暗号化情報を記録するための記録トラックが蛇行することによって、前記ウォブルとは周波数、振幅、及び、位相のうち少なくとも一つが異なったウォブルが形成されていることを特徴とする請求の範囲第１項に記載の情報記録媒体。
【請求項４】
前記記録情報記録領域においては、前記記録情報を記録するための記録トラックが蛇行することによって、ウォブルが形成されており、
前記特殊領域においては、前記暗号化情報がエンボスピットにより記録されていることを特徴とする請求の範囲第１項に記載の情報記録媒体。
【請求項５】
前記記録情報記録領域においては、前記記録トラックとして、ランドトラック及びグルーブトラックが交互に形成されていると共に前記ランドトラックに所定種類のプリ情報を担持するランドプリピットが予め形成されており、
前記特殊領域においては、前記ランドプリピットが形成されていないことを特徴とする請求の範囲第４項に記載の情報記録媒体。
【請求項６】
前記特殊領域においては、前記ランドトラック及び前記グルーブトラックが形成されていることを特徴とする請求の範囲第５項に記載の情報記録媒体。
【請求項７】
前記記録情報記録領域においては、前記記録トラックとして、ランドトラック及びグルーブトラックが交互に形成されており、
前記特殊領域においては、前記ランドトラック及び前記グルーブトラックがいずれも形成されていないことを特徴とする請求の範囲第４項に記載の情報記録媒体。
【請求項８】
前記暗号化情報記録領域は、全て前記特殊領域によって構成されていることを特徴とする請求の範囲第１項に記載の情報記録媒体。
【請求項９】
再生及び記録制御に関する制御情報を記録可能な制御情報記録領域を更に備えており、
前記制御情報記録領域においては、前記特殊領域の開始位置を示す開始アドレス情報、及び、前記特殊領域の終了位置を示す終了アドレス情報のうち少なくとも一方が記録されていることを特徴とする請求の範囲第１項に記載の情報記録媒体。
【請求項１０】
前記記録情報記録領域及び前記暗号化情報記録領域の少なくとも一方においては、プリフォーマットアドレス情報が記録されており、
前記特殊領域の開始位置を示す開始アドレス情報、及び、前記特殊領域の終了位置を示す終了アドレス情報のうち少なくとも一方が前記プリフォーマットアドレス情報に付加されていることを特徴とする請求の範囲第１項に記載の情報記録媒体。
【請求項１１】
前記暗号化情報は、前記記録情報を暗号化するための他の暗号化情報を更に暗号化するための情報であり、
前記他の暗号化情報は、前記記録情報と共に前記記録情報記録領域に記録されることを特徴とする請求の範囲第１項に記載の情報記録媒体。
【発明の詳細な説明】
【技術分野】
【０００１】
本発明は、例えばＤＶＤ等の情報記録媒体の技術分野に関する。
【背景技術】
【０００２】
特許文献１等に、ＤＶＤ−Ｒ／ＲＷ等の記録型情報記録媒体に予め暗号化情報を記録して販売し、ネットワークを介して暗号化されたＤＶＤビデオコンテンツ（以下、適宜「暗号化コンテンツ」と称す）を配信する配信システムが開示されている。この配信システムにおいては、従来のＤＶＤ−Ｒ／ＲＷ等の記録型情報記録媒体と同一の物理構造の情報記録媒体に、従来のＤＶＤ−ＲＯＭ等の再生専用型メディアに適用された暗号化情報を、コントロールデータゾーン等の制御領域に、販売前にプリ記録している。【０００３】
【特許文献１】特開２００１−３０７４２７号公報
【特許文献２】特開２００１−３５７００１号公報
【特許文献３】特開２０００−３３１４１２号公報
【非特許文献１】「ＤＶＤのコンテンツ保護」東芝レビューVol.58,No6(2003)
【発明の開示】
【発明が解決しようとする課題】
【０００４】
しかしながら、上述した特許文献１においては、記録型情報記録媒体に関して特別な工夫はなされていなく、従来の記録型情報記録媒体と同一の物理構造の記録領域に、再生専用型ＤＶＤ（ＤＶＤ−ＲＯＭ）と同じ暗号化情報をプリ記録している。このため、通常市販されているＤＶＤディスクにおいてプリ記録されて保護されている暗号化情報が、何らかの手段でその暗号化情報までもコピーされた違法な記録型ＤＶＤディスク（以下、適宜「違法な記録型ＤＶＤディスク」と称す）が作られた場合、正当な暗号化システムの下で暗号化情報が記録された記録型ＤＶＤディスク（以下、適宜「正当な記録型ＤＶＤディスク」と称す）と区別をすることができないという技術的な問題点がある。【０００５】
また、暗号化コンテンツの再生又は記録に関する既存のルールにおいては、記録型ＤＶＤディスクには、ディスクキー等の暗号化情報を記録することは推奨されていない。従って、情報記録再生装置においては、制御情報を取得するためのシーク動作等によってメディアの種類の判別が行われる際に、記録型情報記録媒体に形成されたウォブル（Wobble）が存在するか否かが検出される。このウォブルの検出に基づいて、正当な記録型ＤＶＤディスクと、違法な記録型ＤＶＤディスクとを区別する方法も考案されているが、正確に両者を区別することはできないという技術的な問題点もある。【０００６】
そこで本発明は、例えば上記問題点に鑑みなされたものであり、記録型情報記録媒体において、コンテンツを暗号化するための暗号化情報の機密性を高めることが可能である情報記録媒体を提供することを課題とする。
【課題を解決するための手段】
【０００７】
（情報記録媒体）
以下、本発明の情報記録媒体について説明する。【０００８】
本発明の情報記録媒体は上記課題を解決するために、記録情報を記録可能な記録情報記録領域と、前記記録情報を暗号化するための暗号化情報が予めプリ記録された暗号化情報記録領域とを備えており、前記暗号化情報記録領域は、少なくともその一部に前記記録情報記録領域とは異なる物理構造を持つ特殊領域を含む。【０００９】
本発明の情報記録媒体によれば、暗号化情報記録領域は、記録情報記録領域とは異なる物理構造を持つ特殊領域を含むので、少なくともこの特殊領域においては、一般の情報記録装置によって違法な暗号化情報等の意図しない情報を上書きすることは殆ど又は完全にできなくなる。加えて、一般の情報記録装置によって違法な暗号化情報等の意図しない情報へ改ざんすることも殆ど又は完全にできなくなる。【００１０】
仮に、通常市販されているＤＶＤディスクでは、プリ記録されて保護されている暗号化情報が、何らかの手段でその暗号化情報までもコピーされた違法な記録型ＤＶＤディスクが作られた場合、正当な暗号化システムの下で暗号化情報が記録された記録型ＤＶＤディスクと区別をすることができない可能性がある。【００１１】
これに対して、本発明によれば、暗号化情報記録領域は、記録情報記録領域とは異なる物理構造を持つ特殊領域を含むので、少なくともこの特殊領域においては、一般の情報記録装置によって違法な暗号化情報等の意図しない情報を上書きすること、及び、意図しない情報へ改ざんすることは殆ど又は完全にできなくなる。【００１２】
以上の結果、暗号化情報記録領域に予めプリ記録された暗号化情報の機密性を高く保持する、即ち、セキュアな状態にすることが可能となる。よって、暗号化情報の違法なコピーが行われた記録型情報記録媒体を作成又は製造することは殆ど又は完全に不可能となる。【００１３】
また、市販されているＤＶＤプレーヤー等の情報記録装置の中には、情報記録媒体の種類を判別するために、情報記録媒体に特有の物理パラメータを検出しているものもある。しかしながら、本発明によれば、情報記録装置の性能や機能に依存することなく、暗号化コンテンツ提供者が、配信した暗号化コンテンツを情報記録媒体へ記録する際の正当性を殆ど又は完全にチェックすることが可能となるという利益も享受できる。【００１４】
また、ＤＶＤ−Ｒ／ＲＷ等の記録型情報記録媒体と同様の記録可能な記録領域と、ＤＶＤ−ＲＯＭ等の再生専用型光ディスクと同様の再生専用の記録領域とを併せて備えたハイブリッド型光ディスクにおいて、仮に、暗号化コンテンツが記録された場合でも、情報記録再生装置によって、暗号化情報が機密性を保持した状態で、正確に取得されない可能性がある。よって、情報記録再生装置によって、暗号化コンテンツを復号化することができず、再生することができない可能性がある。しかしながら、本発明によれば、記録可能な記録領域と、再生専用の記録領域との違いに依存することなく、一律に暗号化情報記録領域に記録された暗号化情報の機密性を高く維持することが可能であるという利益も享受できる。【００１５】
本発明の情報記録媒体の一態様では、前記記録情報記録領域においては、前記記録情報を記録するための記録トラックが蛇行することによって、ウォブルが形成されており、前記特殊領域においては、前記暗号化情報を記録するための記録トラックが蛇行しないことによって、ウォブルが形成されていない。【００１６】
この態様によれば、暗号化情報記録領域は、記録情報記録領域とは異なり、ウォブルが形成されていない特殊領域を含む。よって、少なくともこの特殊領域においては、一般の情報記録装置によって、ウォブルからの信号に基づいた記録クロック及び記録アドレスが取得されないので、違法な暗号化情報等の意図しない情報を上書きすること、及び、意図しない情報へ改ざんすることは殆ど又は完全にできなくなる。【００１７】
その結果、暗号化情報記録領域に予めプリ記録された暗号化情報の機密性を高く保持する、即ち、セキュアな状態にすることが可能となる。よって、暗号化情報の違法なコピーが行われた記録型情報記録媒体を作成又は製造することは殆ど又は完全に不可能となる。また、一般の情報記録装置によって、暗号化情報記録領域の少なくとも一部である特殊領域において、ウォブルが検出されるか否かによって、正当な記録型情報記録媒体と、違法な記録型情報記録媒体とを正確且つ迅速に区別することが可能となる。加えて、暗号化情報記録領域の少なくとも一部である特殊領域において、ウォブルが形成されていないことによって、暗号化コンテンツの再生又は記録に関する既存のルールを部分的に遵守することも可能である。【００１８】
尚、ウォブルが形成されていない特殊領域に対しても、ウォブルを利用しないで回転数制御可能な情報記録装置を使えば、プリ記録された情報としての暗号化情報を、レーザ光により記録することも可能である。或いは、特殊領域にエンボスピットにより暗号化情報を記録するのであれば、特殊領域にウォブルは不要である。【００１９】
本発明の情報記録媒体の他の態様では、前記記録情報記録領域においては、前記記録情報を記録するための記録トラックが蛇行することによって、ウォブルが形成されており、前記特殊領域においては、前記暗号化情報を記録するための記録トラックが蛇行することによって、前記ウォブルとは周波数、振幅、及び、位相のうち少なくとも一つが異なったウォブルが形成されている。【００２０】
この態様によれば、暗号化情報記録領域は、記録情報記録領域に形成されたウォブルとは周波数、振幅、及び、位相のうち少なくとも一つが異なったウォブルが形成されている特殊領域を含む。よって、少なくともこの特殊領域においては、一般の情報記録装置によって、ウォブルからの信号に基づいて、正確な記録クロック及び記録アドレスが取得されないので、違法な暗号化情報等の意図しない情報を上書きすること、及び、意図しない情報へ改ざんすることは殆ど又は完全にできなくなる。特に、特殊領域は、ウォブルの周波数、振幅、及び、位相のうちの複数のパラメータを変調させたランダム変調によって構成されてもよい。【００２１】
その結果、暗号化情報記録領域に予めプリ記録された暗号化情報の機密性を高く保持する、即ち、セキュアな状態にすることが可能となる。よって、暗号化情報の違法なコピーが行われた記録型情報記録媒体を作成又は製造することは殆ど又は完全に不可能となる。【００２２】
本発明の情報記録媒体の他の態様では、前記記録情報記録領域においては、前記記録情報を記録するための記録トラックが蛇行することによって、ウォブルが形成されており、前記特殊領域においては、前記暗号化情報がエンボスピットにより記録されている。【００２３】
この態様によれば、暗号化情報記録領域は、暗号化情報がエンボスピットとして記録されている特殊領域を含む。よって、少なくともこのエンボスピットが形成された特殊領域においては、一般の情報記録装置によって、違法な暗号化情報等の意図しない情報を上書きすること、及び、意図しない情報へ改ざんすることは殆ど又は完全にできなくなる。【００２４】
その結果、暗号化情報記録領域に予めプリ記録された暗号化情報の機密性を高く保持する、即ち、セキュアな状態にすることが可能となる。よって、暗号化情報の違法なコピーが行われた記録型情報記録媒体を作成又は製造することは殆ど又は完全に不可能となる。【００２５】
この態様によれば、前記記録情報記録領域においては、前記記録トラックとして、ランドトラック及びグルーブトラックが交互に形成されていると共に前記ランドトラックに所定種類のプリ情報を担持するランドプリピットが予め形成されており、前記特殊領域においては、前記ランドプリピットが形成されていないように構成してもよい。【００２６】
このように構成すれば、暗号化情報記録領域に予めプリ記録された暗号化情報の機密性をより高く保持する、即ち、セキュアな状態にすることが可能となる。よって、暗号化情報の違法なコピーが行われた記録型情報記録媒体を作成又は製造することは殆ど又は完全に不可能となる。【００２７】
更に、この態様によれば、前記特殊領域においては、前記ランドトラック及び前記グルーブトラックが形成されているように構成してもよい。【００２８】
このように構成すれば、当該情報記録媒体の製造工程の複雑化を抑制しつつ、暗号化情報記録領域に予めプリ記録された暗号化情報の機密性をより高く保持する、即ち、セキュアな状態にすることが可能となる。よって、暗号化情報の違法なコピーが行われた記録型情報記録媒体を作成又は製造することは殆ど又は完全に不可能となる。【００２９】
この態様によれば、前記記録情報記録領域においては、前記記録トラックとして、ランドトラック及びグルーブトラックが交互に形成されており、前記特殊領域においては、前記ランドトラック及び前記グルーブトラックがいずれも形成されていないように構成してもよい。【００３０】
このように構成すれば、暗号化情報記録領域に予めプリ記録された暗号化情報の機密性をより高く保持する、即ち、セキュアな状態にすることが可能となる。よって、暗号化情報の違法なコピーが行われた記録型情報記録媒体を作成又は製造することは殆ど又は完全に不可能となる。【００３１】
本発明の情報記録媒体の他の態様では、前記暗号化情報記録領域は、全て前記特殊領域によって構成されている。【００３２】
この態様によれば、暗号化情報記録領域に予めプリ記録された暗号化情報の機密性をより高く保持する、即ち、セキュアな状態にすることが可能となる。よって、暗号化情報の違法なコピーが行われた記録型情報記録媒体を作成又は製造することは殆ど又は完全に不可能となる。【００３３】
本発明の情報記録媒体の他の態様では、再生及び記録制御に関する制御情報を記録可能な制御情報記録領域（例えば、コントロールデータゾーン）を更に備えており、前記制御情報記録領域においては、前記特殊領域の開始位置を示す開始アドレス情報、及び、前記特殊領域の終了位置を示す終了アドレス情報のうち少なくとも一方が記録されている。【００３４】
この態様によれば、例えば、一般の情報記録装置の初期動作によって、制御情報記録領域に記録された特殊領域の開始位置を示す開始アドレス情報、及び、前記特殊領域の終了位置を示す終了アドレス情報のうち少なくとも一方が取得される。従って、情報記録装置によって、特殊領域の位置を迅速に識別することが可能となる。【００３５】
その結果、情報記録装置によって、暗号化情報記録領域の少なくとも一部である特殊領域における物理構造が識別されることによって、正当な記録型情報記録媒体と、違法な記録型情報記録媒体とを正確且つ迅速に区別することが可能となる。【００３６】
本発明の情報記録媒体の他の態様では、前記記録情報記録領域及び前記暗号化情報記録領域の少なくとも一方においては、プリフォーマットアドレス情報が記録されており、前記特殊領域の開始位置を示す開始アドレス情報、及び、前記特殊領域の終了位置を示す終了アドレス情報のうち少なくとも一方が前記プリフォーマットアドレス情報に付加されている。【００３７】
この態様によれば、例えば、一般の情報記録装置によって、記録情報記録領域及び前記暗号化情報記録領域の少なくとも一方におけるプリフォーマットアドレス情報に付加された特殊領域の開始位置を示す開始アドレス情報、及び、前記特殊領域の終了位置を示す終了アドレス情報のうち少なくとも一方が取得される。従って、情報記録装置によって、特殊領域の位置を迅速に識別することが可能となる。【００３８】
その結果、情報記録装置によって、暗号化情報記録領域の少なくとも一部である特殊領域における物理構造が識別されることによって、正当な記録型情報記録媒体と、違法な記録型情報記録媒体とを正確且つ迅速に区別することが可能となる。【００３９】
本発明の情報記録媒体の他の態様では、前記暗号化情報（例えば、ディスクキー）は、前記記録情報を暗号化するための他の暗号化情報（例えば、タイトルキー）を更に暗号化するための情報であり、前記他の暗号化情報は、前記記録情報と共に前記記録情報記録領域に記録される。【００４０】
この態様によれば、暗号化キー等の暗号化情報の相関関係を階層構造にすることが可能となる。従って、著作権者や、ディスク製造業者等が暗号化鍵を自由に設定することが可能なより利便性の高い暗号化システムを構築することが可能となる。【００４１】
本発明のこのような作用及び他の利得は次に説明する実施例から明らかにされる。【００４２】
以上説明したように、本発明の情報記録媒体によれば、記録情報記録領域、暗号化情報記録領域、及び、異なる物理構造を持つ特殊領域を備えているので、暗号化情報記録領域に予めプリ記録された暗号化情報の機密性を高く保持することが可能となる。
【図面の簡単な説明】
【００４３】
【図１】本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。
【図２】本実施例に係る光ディスクの記録面における部分拡大斜視図である。
【図３】本発明の情報記録媒体の実施例に係る光ディスクにおいてグルーブトラックのウォブリングから得られる記録時に必要な記録クロック及び記録アドレスを示した図式的な概念図である。
【図４】本発明の情報記録媒体の実施例に係る光ディスクの記録領域の物理的構造の一具体例を示した図式的概念図である。
【図５】本発明の情報記録媒体の実施例に係る光ディスクの他の具体例におけるコントロールデータゾーンの少なくとも一部である特殊領域から得られるウォブル信号を示した図式的概念図である。
【図６】本発明の情報記録媒体の実施例に係る光ディスクの記録領域の物理的構造の他の具体例を示した図式的概念図である。
【図７】本発明の情報記録媒体に対して、記録動作を行う情報記録装置、並びに、配信動作を行う情報配信装置を備えた配信システムの全体構成を示したブロック図である。
【図８】本発明の情報記録媒体、情報記録装置、並びに、情報配信装置における配信処理を示したフローチャートである。
【図９】本発明の情報記録媒体を記録再生する情報記録再生装置の全体構成を示すブロック図である。
【図１０】本発明の情報再生装置の実施例の一具体例による再生動作の流れを示したフローチャートである。
【符号の説明】
【００４４】
１…センターホール、１０…トラック、１１…セクタ、１００…光ディスク、１０１…リードインエリア、１０２…データエリア、１０３…リードアウトエリア、１０６…透明基板、１０７…記録層、１０８…反射層、１０９…ウォブル、１５０…ＯＰＣエリア、２００…情報記録装置、２００ａ…情報記録再生装置、２０１…対物レンズ、２０２…光ピックアップ、２０３…スピンドルモータ、２０４…ヘッドアンプ、２１０…総和生成回路、２１１…ピットデータ復調回路、２１２…ピットデータ訂正回路、２１３…バッファ、２１４…インターフェース、２２０…プッシュプル信号生成回路、２２１…ローパスフィルタ、２２２…サーボユニット、２２７…ＲＡＮＤテーブル、２２８…スペクトラム拡散復調回路、２３０…スペクトラム拡散データ再生回路、２５０…ＣＰＵ、３００…情報配信装置、４００…外部ネットワーク、ＳＳ…スペクトラム拡散データ、ＣＫ１…第１クロック信号、ＣＫ２…第２クロック信号、ＧＴ…グルーブトラック、ＬＴ…ランドトラック、ＬＢ…レーザ光、ＬＰＰ…ランドプリピット、Ｋｅｙ１…暗号化情報（ディスクキーや、ディスクキーセット）、Ｋｅｙ２…暗号化情報（タイトルキー）、ＣＤＺ…コントロールデータゾーン、ＣＤＺａ…特殊領域、ＮＢＣＡ…Narrow Burst Cutting Area
【発明を実施するための最良の形態】
【００４５】
以下、本発明を実施するための最良の形態について実施例毎に順に図面に基づいて説明する。【００４６】
（情報記録媒体）
以下、本発明の情報記録媒体の実施例について図１から図６を参照して説明する。【００４７】
先ず、図１及び図２を参照して、本実施例に係る情報記録媒体の一具体例である光ディスクの基本構造について説明する。ここに、図１は、本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。また、図２は、本実施例の光ディスクの記録面における部分拡大斜視図である。【００４８】
本実施例に係る情報記録媒体は、各種の加熱などによる可逆変化記録方式により多数回に亘って記録が可能であると共に多数回に亘って再生が可能である書換型光ディスクからなる。尚、後述されるように、本実施例に係る情報記録媒体は、有機色素膜を使用した追記型光ディスクでもよい。【００４９】
図１に示すように、光ディスク１００は、例えば、ＤＶＤと同じく直径１２ｃｍ程度のディスク本体上の記録面に、センターホール１を中心として内周側から外周側に向けて、本実施例に係るＯＰＣエリア１５０、緩衝用エリアとしてリードインエリア１０１、データエリア１０２、及び、他の緩衝用エリアとしてリードアウトエリア１０３が設けられている。【００５０】
リードインエリア１０１には、コントロールデータゾーンＣＤＺが設けられている。このコントロールデータゾーンＣＤＺには、この光ディスク１００に対する再生及び記録を制御するための制御情報の一部として、所定の暗号化システムに基づいたディスクキーや、ディスクキーセット等の暗号化情報Ｋｅｙ１がプリ記録されている。尚、ディスクキーや、ディスクキーセット等の暗号化情報Ｋｅｙ１によって、本願発明に係る「暗号化情報」の一具体例が構成されている。【００５１】
更に、リードインエリア１０１には、ＮＢＣＡ（Narrow Burst Cutting Area）が設けられている。このＮＢＣＡには、光ディスク１００の一枚一枚に固有な製造番号、所謂、メディアＩＤがバーコード状にレーザーカッティングによって記録されている。尚、本願発明に係る「暗号化情報記録領域」の一具体例が、このコントロールデータゾーンＣＤＺによって構成されている。また、このコントロールデータゾーンＣＤＺは、後述される特殊領域ＣＤＺａを含むように構成されている。【００５２】
データエリア１０２には、暗号化システムに基づいたタイトルキー等の暗号化情報Ｋｅｙ２と、このタイトルキー等の暗号化情報Ｋｅｙ２によって暗号化された暗号化コンテンツが記録される。より具体的には、タイトルキー等の暗号化情報Ｋｅｙ２は、前述したディスクキーや、ディスクキーセット等の暗号化情報Ｋｅｙ１によって暗号化されている。尚、本願発明に係る「他の暗号化情報」の一具体例が、このタイトルキー等の暗号化情報Ｋｅｙ２によって構成されている。また、本願発明に係る「記録情報記録領域」の一具体例が、このデータエリア１０２によって構成されている。【００５３】
ＯＰＣエリア１５０は、最適な記録レーザパワーの検出、即ち、記録レーザパワーのキャリブレーション（較正）の為に用意されている。【００５４】
そして、各記録領域には、例えば、センターホール１を中心にスパイラル状或いは同心円状に、例えば、グルーブトラック及びランドトラック等のトラック１０が交互に設けられている。【００５５】
図２に示すように、本実施例では、光ディスク１００は、ディスク状の透明基板１０６の下側において、情報記録面を構成する色素型記録層１０７が積層され、更にその下側に、反射層１０８が積層されている。記録層１０７の表面からなる情報記録面には、グルーブトラックＧＴ及びランドトラックＬＴが交互に形成されている。尚、光ディスク１００の記録及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、記録層１０７へ記録が実施される。他方、再生時には、記録レーザパワーよりも弱い再生レーザパワーでレーザ光ＬＢが照射されることで、記録層１０７へ記録された記録データの読出しが実施される。【００５６】
尚、グルーブトラックＧＴ、ランドトラックＬＴ、ウォブル１０９、及び、ランドプリピットＬＰＰ等については後述に詳細に説明される。【００５７】
再び図１において、トラック１０上には、データがセクタ１１という単位が、例えば１６個集まった管理単位である１ＥＣＣブロック（クラスタ）単位にて記録される。この１ＥＣＣブロックは、エラー訂正可能なプリフォーマットアドレス情報による管理単位である。【００５８】
尚、本発明は、図１に示した如き４つの記録領域を有する光ディスク１００には特に限定されない。例えば、ＯＰＣエリア１５０は、最内周に位置してなくてもよく、例えば、図１中で、リードインエリア１０１内、データエリア１０２内、又はリードアウトエリア１０３内等に位置してもよいし、若しくは、リードインエリア１０１とデータエリア１０２との間、データエリア１０２とリードアウトエリア１０３との間、又はリードアウトエリア１０３の外周側などに位置してもよい。また、リードインエリア１０１やリードアウトエリア１０３の存在も任意であり、ＯＰＣピット或いはＯＰＣパターンが記録されるＯＰＣエリア１５０と記録データが記録されるデータエリア１０２との二つの記録領域が少なくとも設けられていればよい。加えて、このようなＯＰＣエリア１５０は、一つにまとめられて配置されてもよいし、複数に分割されて配置されてもよい。【００５９】
次に、図３に加えて前述した図２を適宜参照して、本発明の情報記録媒体の実施例に係る光ディスクにおいてグルーブトラックのウォブリングから得られる記録時に必要な記録クロック及び記録アドレスについて説明する。ここに、図３は、本発明の情報記録媒体の実施例に係る光ディスクにおいてグルーブトラックのウォブリングから得られる記録時に必要な記録クロック及び記録アドレスを示した図式的な概念図である。【００６０】
図３（ａ）、（ｂ）及び（ｃ）に示すように、本実施例に係る光ディスクにおいては、グルーブトラックＧＴは、一定の振幅及び空間周波数で揺動されている。即ち、グルーブトラックＧＴは、ウォブリング（Wobbling）されており、そのウォブル（Wobble）１０９の周期は所定値に設定されている。尚、グルーブトラックＧＴのウォブル１０９を周波数変調や位相変調など所定の変調方式により変調することによりプリフォーマットアドレス情報を予め記録するようにしてもよい。【００６１】
図３（ｂ）に示すように、ＣＤ−Ｒ／Ｗの場合では、微妙な周波数の変化によって、光ディスク上の記録アドレスがＡＴＩＰ（Absolute Time In Pre-groove）信号と呼ばれる絶対時間情報として組み込まれている。【００６２】
図３（ｃ）に示すように、ＤＶＤ−Ｒ／Ｗの場合では、ランドトラックＬＴ上にはプリフォーマットアドレス情報を示すランドプリピットＬＰＰと呼ばれるアドレスピットが形成されている。【００６３】
以上説明した２種類のアドレッシング、即ち、ウォブル１０９並びにＡＴＩＰ又はランドプリピットＬＰＰにより記録中のディスク回転制御や記録クロックの生成、また記録アドレス等のデータの記録に必要な情報を得ることができる。より具体的には、例えば、ディスクドライブ等の記録ドライブが、本願発明に係る「記録情報記録領域」の一例を構成するデータエリアに書き込むためには、例えば、レーザ光の最適記録パワーや記録ストラテジー等の記録パラメータに加えて、書き込みに使用する記録クロックと記録アドレスが必要である。【００６４】
次に、図４から図６を参照して、本発明の情報記録媒体の実施例に係る光ディスクの記録領域の物理的構造の具体例についてより詳細に説明する。ここに、図４は、本発明の情報記録媒体の実施例に係る光ディスクの記録領域の物理的構造の一具体例を示した図式的概念図である。【００６５】
図４に示されるように、特に、本実施例に係る光ディスクにおいては、ディスクキー等の暗号化情報Ｋｅｙ１がプリ記録されるコントロールデータゾーンＣＤＺの少なくとも一部が、特殊領域ＣＤＺａとして設けられている。この特殊領域ＣＤＺａにおいては、ウォブル１０９が形成されていない。【００６６】
従って、一般のディスクドライブ等の記録ドライブが、少なくともこの特殊領域ＣＤＺａに記録されているディスクキー等の暗号化情報Ｋｅｙ１を、違法な暗号化情報等の意図しない情報に上書きすることは殆ど又は完全にできなくなる。加えて、一般の情報記録装置によって違法な暗号化情報等の意図しない情報へ改ざんすることも殆ど又は完全にできなくなる。より具体的には、ウォブル１０９並びにＡＴＩＰ又はランドプリピットＬＰＰにより記録クロックを生成することができないので、記録中のディスクの回転制御をすることができないためである。また、記録アドレス等のデータの記録に必要な情報を取得することもできないためである。【００６７】
その結果、コントロールデータゾーンＣＤＺに、予めプリ記録された暗号化情報Ｋｅｙ１の機密性を高く保持する、即ち、セキュアな状態にすることが可能となる。よって、暗号化情報Ｋｅｙ１の違法なコピーが行われた記録型情報記録媒体を作成又は製造することは殆ど又は完全に不可能となる。【００６８】
また、一般の情報記録装置によって、コントロールデータゾーンＣＤＺの少なくとも一部である特殊領域ＣＤＺａにおいて、ウォブルが検出されるか否かによって、正当な記録型光ディスクと、違法な記録型光ディスクとを正確且つ迅速に区別することが可能となる。より具体的には、後述される情報記録再生装置２００ａによって、再生又は記録に関する制御情報を取得するためのシーク動作等によって光ディスクの種類の判別が行われる。この場合に、コントロールデータゾーンＣＤＺの少なくとも一部である特殊領域において、記録型光ディスクに特有のウォブル１０９が存在するか否かが検出される。このウォブル１０９が検出されるか否かによって、正当な記録型光ディスクと、違法な記録型光ディスクとを正確に区別することが可能となる。即ち、特殊領域ＣＤＺａにおいてウォブル１０９が検出されなければ、正当な記録型光ディスクであると判定することが可能である。他方、特殊領域ＣＤＺａにおいてウォブル１０９が検出されれば、違法な記録型光ディスクであると判定することが可能である。【００６９】
加えて、コントロールデータゾーンＣＤＺの少なくとも一部である特殊領域ＣＤＺａにおいて、ウォブル１０９が形成されていないことによって、暗号化コンテンツの再生又は記録に関する既存のルールを部分的に遵守することも可能である。より具体的には、ウォブルが形成されている光ディスク、即ち、記録型光ディスクには、ディスクキー等の暗号化情報を記録することは推奨されていないというルール、言い換えると、ウォブルが形成されていない光ディスク、即ち、再生専用型光ディスクにだけ、暗号化情報を記録することが推奨されているというルールを部分的に遵守することが可能である。尚、後述される一般の情報記録再生装置２００ａにおいては、既存のルールを遵守しない光ディスクは、排出されるように構成されている。【００７０】
次に、図５及び図６を参照して、本発明の情報記録媒体の実施例に係る光ディスクの他の具体例について説明する。ここに、図５は、本発明の情報記録媒体の実施例に係る光ディスクの他の具体例におけるコントロールデータゾーンの少なくとも一部である特殊領域から得られるウォブル信号を示した図式的概念図である。図６は、本発明の情報記録媒体の実施例に係る光ディスクの記録領域の物理的構造の他の具体例を示した図式的概念図である。【００７１】
本発明の情報記録媒体の実施例に係る光ディスクの他の具体例においては、コントロールデータゾーンＣＤＺの少なくとも一部である特殊領域ＣＤＺａから、図５（ａ）に示されるようなウォブル信号ＷＢ１が得られるように、特殊領域ＣＤＺａを構成してもよい。より具体的には、記録トラックの方向を基準として、特殊領域ＣＤＺａの前方においては、ウォブルの振幅を小さくさせ、ＡＭ（Amplitude Modulation）させる。他方、特殊領域ＣＤＺａの後方においては、ウォブルの振幅を大きくさせ、ＡＭさせる。特に、振幅が減少し始める時及び増加し始める時の変化は徐々に行うのが好ましい。何故ならば、製造工程のより簡略化を実現可能だからである。より詳細には、後述される情報記録再生装置におけるコンパレータは、バンドパスフィルタからのウォブル信号を検出することができなくなる。【００７２】
本発明の情報記録媒体の実施例に係る光ディスクの他の具体例においては、コントロールデータゾーンＣＤＺの少なくとも一部である特殊領域ＣＤＺａから、図５（ｂ）に示されるようなウォブル信号ＷＢ２が得られるように、特殊領域ＣＤＺａを構成してもよい。より具体的には、特殊領域ＣＤＺａの全ての領域において、ウォブルを殆ど又は完全に無くすように構成し、ウォブル信号ＷＢ２を得られないように構成してもよい。但し、製造工程においてより高度な制御が必要となる。この具体例においても、前述の具体例と同様に情報記録再生装置におけるコンパレータは、バンドパスフィルタからのウォブル信号を検出することができなくなる。【００７３】
本発明の情報記録媒体の実施例に係る光ディスクの他の具体例においては、コントロールデータゾーンＣＤＺの少なくとも一部である特殊領域ＣＤＺａから、図５（ｃ）に示されるようなウォブル信号ＷＢ３が得られるように、特殊領域ＣＤＺａを構成してもよい。
より具体的には、特殊領域ＣＤＺａの全ての領域において、ウォブルの周波数を、例えば、１ＫＨｚから１０ＫＨｚへと変調させ、ＦＭ（Frequency Modulation）させるように構成してもよい。尚、ＦＭにおいては、周波数を２倍、５倍等に増加させてもよいし、１／２倍、１／５倍等と減少させてもよい。この具体例においても、前述の具体例と同様に情報記録再生装置におけるコンパレータは、バンドパスフィルタからのウォブル信号を検出することができなくなる。【００７４】
本発明の情報記録媒体の実施例に係る光ディスクの他の具体例においては、コントロールデータゾーンＣＤＺの少なくとも一部である特殊領域ＣＤＺａから、図５（ｄ）に示されるようなウォブル信号ＷＢ４が得られるように、特殊領域ＣＤＺａを構成してもよい。
より具体的には、特殊領域ＣＤＺａの領域において、ウォブルの周波数、振幅、及び、位相のうち少なくとも一つが変調されるように構成してもよい。この具体例においても、前述の具体例と同様に情報記録再生装置におけるコンパレータは、バンドパスフィルタからのウォブル信号を検出することができなくなる。【００７５】
本発明の情報記録媒体の実施例に係る光ディスクの他の具体例においては、図示しないが、コントロールデータゾーンＣＤＺの少なくとも一部である特殊領域ＣＤＺａにおいては、グルーブトラック等の記録トラック自体を予め形成しないように構成してもよい。この具体例においても、前述の具体例と同様に情報記録再生装置におけるコンパレータは、バンドパスフィルタからのウォブル信号を検出することができなくなる。【００７６】
以上より、コントロールデータゾーンＣＤＺ内の特殊領域ＣＤＺａにおいては、一般の情報記録装置によって、ウォブルからの信号に基づいて、正確な記録クロック及び記録アドレスが取得されないので、コントロールデータゾーンＣＤＺにプリ記録されているディスクキー等の暗号化情報Ｋｅｙ１を、違法な暗号化情報等の意図しない情報を上書きすること、及び、意図しない情報へ改ざんすることは殆ど又は完全にできなくなる。【００７７】
図６に示されるように、本発明の情報記録媒体の実施例に係る光ディスクの他の具体例は、コントロールデータゾーンＣＤＺの少なくとも一部である特殊領域ＣＤＺａにおいては、ディスクキー等の暗号化情報Ｋｅｙ１の所定のデータ列であるプリ記録データがエンボスピット列として形成されているように構成してもよい。【００７８】
以上より、少なくともこのエンボスピット列が形成された特殊領域ＣＤＺａにおいては、一般の情報記録装置によって、違法な暗号化情報等の意図しない情報を上書きすること、及び、意図しない情報へ改ざんすることは殆ど又は完全にできなくなる。【００７９】
（情報記録媒体、情報記録装置及び情報配信装置を備えた配信システムの全体構成）
次に、図７を参照して、本発明の情報記録媒体に対して、記録動作を行う情報記録装置、並びに、配信動作を行う情報配信装置を備えた配信システムの全体構成について説明する。ここに、図７は、本発明の情報記録媒体に対して、記録動作を行う情報記録装置、並びに、配信動作を行う情報配信装置を備えた配信システムの全体構成を示したブロック図である。尚、図７におけるステップ番号は、後述される図８におけるステップ番号と対応している。また、本実施例に係る配信システムにおいては、ＤＡＯ（Disk At Once）方式を採用してもよい。【００８０】
図７に示されるように、本実施例に係る配信システムは、（ｉ）光ディスク１００に対して記録動作を行う情報記録装置２００、（ｉｉ）この情報記録装置２００に暗号化コンテンツを配信する、例えば、ウェブサーバー等の情報配信装置３００、並びに、（ｉｉｉ）これら情報記録装置２００と情報配信装置３００とが情報の授受を行うことを可能にするインターネット等の外部ネットワーク４００を備えて構成されている。【００８１】
前述したように、光ディスク１００は、ＮＢＣＡ、コントロールデータゾーンＣＤＺ、及び、暗号化コンテンツを記録するデータエリア１０２を備えて構成されている。より詳細には、ＮＢＣＡには、メディアＩＤがレーザーカッティングによって記録されている。コントロールデータゾーンＣＤＺには、ディスクキー等の暗号化情報Ｋｅｙ１が記録されている。データエリア１０２には、後述される情報配信装置３００によって配信された暗号化コンテンツ等が、そのまま記録される。【００８２】
情報記録装置２００は、光ディスク１００のメディアＩＤを、情報配信装置３００へ送信する。また、情報配信装置３００から受信した暗号化コンテンツを、光ディスク１００に対して記録する。【００８３】
情報配信装置３００は、情報記録装置２００が送信したメディアＩＤを受信する。受信したメディアＩＤに対応したディスクキー等の暗号化情報Ｋｅｙ１、及び、タイトルキー等の暗号化情報Ｋｅｙ２を生成する。生成された暗号化情報Ｋｅｙ１及びＫｅｙ２に基づいて、コンテンツに対して暗号化等の暗号化処理を行う。暗号化処理が施されたコンテンツ、即ち、暗号化コンテンツを情報記録装置２００へ配信する。尚、暗号化コンテンツは、外部ネットワーク４００を経由して配信されるため、暗号化における暗号化とは別に、ＳＳＬ（Secure Socket Layer）等の盗聴や改ざん等に対応した暗号化を施してもよい。【００８４】
外部ネットワーク４００は、情報記録装置２００と、情報配信装置３００とを、両者に備えられた図示しない回線接続装置（例えば、ハブ装置、デジタル終端接続装置（ＤＳＵ）、又は、侵入防止用のファイアウォールアプリケーションを実装したルータなど）を介して、情報の授受が行えるように接続させている。【００８５】
（情報記録媒体、情報記録装置及び情報配信装置における配信処理）
次に、図８に加えて前述した図７を適宜参照して、本発明の情報記録媒体に対して、記録動作を行う情報記録装置、並びに、配信動作を行う情報配信装置を備えた配信システムの配信処理について説明する。ここに、図８は、本発明の情報記録媒体、情報記録装置、並びに、情報配信装置における配信処理を示したフローチャートである。尚、図８におけるステップ番号は、図７におけるステップ番号と対応している。【００８６】
（情報記録装置における動作）
先ず、図８において、光ディスク１００が装填されると、先ず、後述される情報記録装置のＣＰＵ（Central Processing Unit）２５０の制御下で、光ピックアップ２０２によりシーク動作が行われる（ステップＳ１０１）。【００８７】
次に、ＣＰＵ２５０の制御下で、光ディスク１００は、コンテンツが配信されるための光ディスクであるか否かが判定される（ステップＳ１０２）。ここで、光ディスク１００は、コンテンツが配信されるための光ディスクである場合（ステップＳ１０２：Ｙｅｓ）、光ディスク１００への記録動作に必要な各種制御情報及び各種管理情報が取得される（ステップＳ１０３）。より具体的には、ＯＰＣ処理が行われ、最適記録パワーが決定されると共に、記録ストラテジーパターンが決定される。【００８８】
次に、光ディスク１００には、コンテンツが記録済みであるか否かが判定される（ステップＳ１０４）。ここで、光ディスク１００には、コンテンツが記録済みではない場合（ステップＳ１０４：Ｎｏ）、ＣＰＵ２５０の制御下で、光ディスク１００上のＮＢＣＡ（Narrow Burst Cutting Area）から、当該光ディスク１００に固有のメディアＩＤが取得される（ステップＳ１０５）。【００８９】
次に、ＣＰＵ２５０の制御下で、取得されたメディアＩＤがＳＳＬ等に基づいて暗号化され、例えば、ネッワーク上のサーバー等の情報配信装置３００へ送信される（ステップＳ１０６）。【００９０】
他方、ステップＳ１０２の判定の結果、コンテンツが配信されるための光ディスクでないと判定された場合（ステップＳ１０２：Ｎｏ）、及び、ステップＳ１０４の判定の結果、光ディスク１００には、コンテンツが記録済みではあると判定された場合（ステップＳ１０４：Ｙｅｓ）、光ディスク１００は、情報記録装置２００から排出される。【００９１】
（情報配信装置における動作）
情報配信装置３００では、先ず、ＳＳＬ等によって暗号化されたメディアＩＤを受信する（ステップＳ２０１）。【００９２】
次に、情報配信装置３００では、受信したＳＳＬ等によって暗号化されたメディアＩＤを復号化する（ステップＳ２０２）。【００９３】
次に、情報配信装置３００では、復号化したメディアＩＤに対応するディスクキー等の暗号化情報Ｋｅｙ１、及び、タイトルキー等の暗号化情報Ｋｅｙ２が生成される（ステップＳ２０３）。【００９４】
次に、情報配信装置３００では、生成された暗号化情報Ｋｅｙ１及びＫｅｙ２によって配信するコンテンツ及びファイルシステムが所定の暗号化システムによって暗号化される（ステップＳ２０４）。【００９５】
次に、情報配信装置３００では、この生成された暗号化情報Ｋｅｙ１及びＫｅｙ２によって暗号化システムに基づいて暗号化された暗号化コンテンツ及びファイルシステムが、更に、ＳＳＬ等によって暗号化されて、情報記録装置２００へと配信される（ステップＳ２０５）。より具体的には、ＳＳＬ等によって暗号化された暗号化コンテンツ及びファイルシステムの属性、所謂、ＣＣＩ（Copy Control Information）は、配信されている途中において、再生できないようにするために、ネバーコピー（Never Copy）の属性に設定される。【００９６】
（情報記録装置における動作  −続き−  ）
再び、情報記録装置２００においては、情報配信装置によって配信された、ＳＳＬ等によって暗号化された暗号化コンテンツ及びファイルシステムが受信される（ステップＳ１０７）。【００９７】
次に、情報記録装置２００では、受信された暗号化コンテンツ及びファイルシステムをＳＳＬ等によって復号化する（ステップＳ１０８）。【００９８】
次に、情報記録装置２００では、暗号化情報Ｋｅｙ１及びＫｅｙ２によって暗号化された暗号化コンテンツ及びファイルシステムを復号化しないで、そのまま光ディスク１００に記録する（ステップＳ１０９）。より具体的には、所定の暗号化システムに基づいて暗号化された暗号化コンテンツ及びファイルシステムの記録は、プリ記録されていないリードインエリア１０１の最後の記録領域のアドレスから開始され、プリ記録されているリードアウトエリア１０３の記録領域のアドレスにおいて終了される。仮に、暗号化されたコンテンツ及びファイルシステムの記録が、プリ記録されているリードアウトエリア１０３の記録領域のアドレスまで行われない場合、このアドレスまで緩衝用データが記録されるようにしてもよい。尚、リードインエリア１０１やリードアウトエリア１０３等においては、緩衝用データが事前に書き込まれて販売されてもよいし、情報記録装置２００によって、暗号化コンテンツの記録の際に新たに書き込まれてもよい。【００９９】
以上のように、本実施例に係る配信システムは、情報記録装置２００と、情報配信装置３００との外部ネットワーク４００を介した情報の授受において、暗号化情報Ｋｅｙ１及びＫｅｙ２の代わりにメディアＩＤを送受信する。従って、暗号化情報記録領域に予めプリ記録された暗号化情報Ｋｅｙ１の機密性を高く保持する、即ち、セキュアな状態にすることが可能となる。よって、暗号化情報Ｋｅｙ１の違法なコピーが行われた記録型情報記録媒体を作成又は製造することは殆ど又は完全に不可能となる。【０１００】
（情報記録再生装置）
次に、本発明の情報記録媒体を記録再生する情報記録再生装置について説明する。この情報記録再生装置２００ａは、前述した情報記録装置２００を含む。ここに、図９は、本発明の情報記録媒体を記録再生する情報記録再生装置の全体構成を示すブロック図である。光ディスク１００には、第１クロック信号ＣＫ１に同期したピットデータＤＰが記録マークの長短によって記録されている。この例の記録マークはピットであり、トラックはピット列によって構成される。トラックはウォブルデータＤＷをスペクトラム拡散変調して得たウォブル信号ＷＢに応じて蛇行した形状になっている。ウォブル信号ＷＢは第２クロック信号ＣＫ２に同期している。第１クロック信号ＣＫ１は第２クロック信号ＣＫ２のＮ（Ｎは自然数）倍の周波数を有する。この例では、Ｎ＝２５であり、第２クロック信号ＣＫ２は４２０ＫＨｚ、第１クロック信号ＣＫ１は１０．５ＭＨｚである。【０１０１】
情報記録再生装置２００ａは、光ディスク１００に対して再生ビームを照射するとともに反射光に応じた信号を出力する光ピックアップ２０２と、光ディスク１００の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１００に対する相対的位置制御であるフォーカスサーボ及びトラッキングサーボを実行する。【０１０２】
光ピックアップ２０２は、再生ビームを照射するレーザーダイオード、４分割検出回路を備える（図示略）。４分割検出回路は、再生ビームの反射光を図９に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。なお、光ピックアップ２０２及びヘッドアンプ２０４は本願発明に係る光ピックアップ手段に相当する。【０１０３】
総和生成回路２１０は、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号である。【０１０４】
ピットデータ復調回路２１１は、総和読取信号ＳＲＦに基づいてピットデータＤＰを再生すると共に第１クロック信号ＣＫ１を生成する。より具体的には、ピットデータＤＰは、所定のテーブルを用いて復調されて再生データが生成される。例えば、変調方式としてＥＦＭ変調が採用される場合には、１４ビットのピットデータＤＰを８ビットの再生データに変換する処理が施される。更に、この再生データの順序を予め定められた規則に従って並べ換えるデスクランブル処理が実行され、処理済の再生データが出力される。【０１０５】
このようにして得られた再生データは、図９に示すピットデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。更に、このインターフェース２１４を介して、各種データが、例えば、外部ネットワーク４００に接続された前述した回線接続装置との間で入出力される。【０１０６】
プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。即ち、再生ビームがピットに対して左側に偏っていれば、プッシュプル信号は振幅中心を基準として正極性となり、再生ビームがピットの中央に位置する場合はプッシュプル信号の値は振幅中心となり、再生ビームがピットに対して右側に偏っていれば、プッシュプル信号は振幅中心を基準として負極性となる。再生ビームとピットの相対的な位置は、トラックの蛇行に応じて変化し、プッシュプル信号の値は再生ビームとピットの相対的な位置関係を表している。即ち、プッシュプル信号は、トラックの蛇行に応じた信号である。【０１０７】
プッシュプル信号はローパスフィルタ２２１を介してサーボユニット２２２へ出力される。サーボユニット２２２は、プッシュプル信号に基づいてトラッキング制御を実行する。また、プッシュプル信号はバンドパスフィルタ２２３に供給される。バンドパスフィルタ２２３の通過帯域は、記録時においてウォブルデータＤＷをスペクトラム拡散変調して得たウォブル信号ＷＢをプッシュプル信号から抽出できるように設定されている。従って、バンドパスフィルタ２２３はプッシュプル信号生成回路２２０と共に上述した検出手段を構成し、その出力信号は、光ディスク１００からウォブル信号ＷＢを再生したものとなる。特に、コンパレータ２２４においては、暗号化情報記録領域へ違法な書き込みをしようとした場合、本願発明に係る特殊領域において記録クロック及び記録アドレスが検出することはできないために、記録動作においてエラーが発生し、記録動作が中止されるので、情報記録装置の仕様や記録制御手順にかかわらず、暗号化情報記録領域への違法な書き込みを防止することが可能となる。即ち、ＰＬＬ（Phase Locked Loop）を制御不能にすることが可能となる。【０１０８】
スペクトラム拡散データ再生回路２３０は、データＢに基づいて、スペクトラム拡散データＳＳを再生する。スペクトラム拡散データ再生回路２３０の詳細は、ディスク原盤ＤＳを作成する際にどのような変調方式を用いたかにより異なる。【０１０９】
ＲＡＮＤテーブル２２７には、記録時のスペクトラム拡散変調に用いたランダム化パターンが記憶されている。ランダム化パターンは拡散符号に相当し、ランダム関数を用いて生成されるビット列である。ＲＡＮＤテーブル２２７には第２クロック信号ＣＫ２が供給され、第２クロック信号ＣＫ２に同期してランダム化パターンが読み出されることによりランダムデータＲＮＤが生成され、生成されたランダムデータＲＮＤはスペクトラム拡散復調回路２２８に供給される。また、スペクトラム拡散データ再生回路２３０から出力されるスペクトラム拡散データＳＳはスペクトラム拡散復調回路２２８に供給される。【０１１０】
スペクトラム拡散復調回路２２８は、乗算回路（例えば、イクスシブルオア回路ＸＯＲ）で構成され、スペクトラム拡散データＳＳとランダムデータＲＮＤを掛け算して、ウォブルデータＤＷを再生する。この際、元々の信号帯域でない信号は、掛け算によって帯域外の信号に変換される。こうして再生されたウォブルデータＤＷは、エラー訂正回路２２９においてエラー訂正が施された後、出力される。【０１１１】
ＣＰＵ２５０は、情報記録再生装置２００ａの各構成要素を統括制御する。【０１１２】
（情報記録再生装置の実施例による再生動作の流れ）
次に、図１０を参照して、本発明の情報記録媒体を再生する情報記録再生装置の実施例による再生動作について説明する。ここに、図１０は、本発明の情報再生装置の実施例の一具体例による再生動作の流れを示したフローチャートである。【０１１３】
先ず、図１０において、光ディスク１００が装填されると、先ず、ＣＰＵ２５０の制御下で、光ピックアップ２０２によりシーク動作が行われる（ステップＳ３０１）。【０１１４】
次に、ＣＰＵ２５０の制御下で、光ディスク１００の種類の判別が行われる（ステップＳ３０２）。【０１１５】
次に、ＣＰＵ２５０の制御下で、メディアＩＤが取得される（ステップＳ３０３）。【０１１６】
次に、ＣＰＵ２５０の制御下で、光ディスク１００が記録型情報記録媒体であるか否かの情報が取得される（ステップＳ３０４）。より具体的には、ウォブル等を検出できるか否かを判定することによって、光ディスク１００は、記録型情報記録媒体であるか否かを判定することができる。【０１１７】
次に、ＣＰＵ２５０の制御下で、光ディスク１００の記録層の数に関する情報が取得され、光ディスク１００が多層型情報記録媒体であるか否かが判定される（ステップＳ３０５）。即ち、ＣＰＵ２５０の制御下で、光ディスク１００が、１層型、２層以上の多層型情報記録媒体であるかを判定することが可能となる。ここで、光ディスク１００が、２層以上の多層型情報記録媒体であると判定された場合（ステップＳ３０５：Ｙｅｓ）、ＣＰＵ２５０の制御下で、光ディスク１００の記録トラックの方向に関する情報が取得される（ステップＳ３０６）。より具体的には、光ディスク１００は、パラレル方式であるか、又は、オポジット方式であるか否かを判定することができる。【０１１８】
他方、光ディスク１００が、２層以上の多層型情報記録媒体ではないと判定された場合（ステップＳ３０５：Ｎｏ）、光ディスク１００は、単層型情報記録媒体であるので、記録トラックの方向に関する情報の取得を行うステップＳ３０６は省略される。【０１１９】
次に、ＣＰＵ２５０の制御下で、光ディスク１００の、例えば、ユーザデータエリアに記録されているコンテンツ及びファイルシステムが所定の暗号化システムに基づいて暗号化されているか否かが判定される（ステップＳ３０７）。ここで、例えば、光ディスク１００のデータエリア１０２に記録されているコンテンツが暗号化システムに基づいて暗号化されている場合（ステップＳ３０７：Ｙｅｓ）、タイトルキー等の暗号化情報Ｋｅｙ２が取得される（ステップＳ３０８）。【０１２０】
次に、ＣＰＵ２５０の制御下で、光ディスク１００のファイルシステムに関する情報が取得される（ステップＳ３０９）。【０１２１】
次に、ＣＰＵ２５０の制御下で、光ディスク１００において、暗号化されて記録されているコンテンツが、取得された、例えば、タイトルキー等の暗号化情報Ｋｅｙ２によって、復号化される（ステップＳ３１０）。【０１２２】
以上より、ＣＰＵ２５０の制御下で、例えば、タイトルキー等の暗号化情報Ｋｅｙ２によって、復号化されたコンテンツ毎に再生される（ステップＳ３１１）。【０１２３】
他方、光ディスク１００の、例えば、ユーザデータエリアに記録されているコンテンツが暗号化システムに基づいて暗号化されていない場合（ステップＳ３０７：Ｎｏ）、ＣＰＵ２５０の制御下で、ファイルシステムに関する情報が取得される（ステップＳ３１２）。【０１２４】
以上より、ＣＰＵ２５０の制御下で、コンテンツが再生される（ステップＳ３１３）。【０１２５】
本実施例では、情報記録媒体の一具体例として、例えば、ＣＤ−Ｒ／Ｗ又はＤＶＤ−Ｒ／Ｗ等の書き換え型光ディスクについて説明したが、本発明は、例えば、ウォブルを使用する全てのＣＤ、ＤＶＤ、及び、Blu-rayディスクの大容量記録媒体等の光学式情報記録媒体においても使用可能である。【０１２６】
本発明は、上述した実施例に限られるものではなく、請求の範囲及び明細書全体から読み取れる発明の要旨或いは思想に反しない範囲で適宜変更可能であり、そのような変更を伴う情報記録媒体もまた本発明の技術的範囲に含まれるものである。
【産業上の利用可能性】
【０１２７】
本発明に係る情報記録媒体は、例えば、ＤＶＤ等の情報記録媒体に利用可能である。
【図１】
2005122154.tif 000002
【図２】
2005122154.tif 000003
【図３】
2005122154.tif 000004
【図４】
2005122154.tif 000005
【図５】
2005122154.tif 000006
【図６】
2005122154.tif 000007
【図７】
2005122154.tif 000008
【図８】
2005122154.tif 000009
【図９】
2005122154.tif 000010
【図１０】
2005122154.tif 000011
【手続補正書】
【提出日】平成18年4月7日(2006.4.7)
【手続補正１】
【補正対象書類名】特許請求の範囲
【補正対象項目名】全文
【補正方法】変更
【補正の内容】
【書類名】請求の範囲
【請求項１】記録情報を記録可能な記録情報記録領域と、
前記記録情報を暗号化するための暗号化情報が予めプリ記録された暗号化情報記録領域と
を備えており、
前記暗号化情報記録領域は、少なくともその一部に前記記録情報記録領域とは異なる物理構造を持つ特殊領域を含み、
前記暗号化情報は、前記記録情報を暗号化するための他の暗号化情報を更に暗号化するための情報であり、
前記他の暗号化情報は、前記記録情報と共に前記記録情報記録領域に記録されることを特徴とする情報記録媒体。
【請求項２】前記記録情報記録領域においては、前記記録情報を記録するための記録トラックが蛇行することによって、ウォブルが形成されており、前記特殊領域においては、前記暗号化情報を記録するための記録トラックが蛇行しないことによって、ウォブルが形成されていないことを特徴とする請求の範囲第１項に記載の情報記録媒体。
【請求項３】前記記録情報記録領域においては、前記記録情報を記録するための記録トラックが蛇行することによって、ウォブルが形成されており、
前記特殊領域においては、前記暗号化情報を記録するための記録トラックが蛇行することによって、前記ウォブルとは周波数、振幅、及び、位相のうち少なくとも一つが異なったウォブルが形成されていることを特徴とする請求の範囲第１項に記載の情報記録媒体。
【請求項４】前記記録情報記録領域においては、前記記録情報を記録するための記録トラックが蛇行することによって、ウォブルが形成されており、
前記特殊領域においては、前記暗号化情報がエンボスピットにより記録されていることを特徴とする請求の範囲第１項に記載の情報記録媒体。
【請求項５】前記記録情報記録領域においては、前記記録トランクとして、ランドトラック及びグルーブトラックが交互に形成されていると共に前記ランドトラックに所定種類のプリ情報を担持するランドプリピットが予め形成されており、
前記特殊領域においては、前記ランドプリピットが形成されていないことを特徴とする請求の範囲第４項に記載の情報記録媒体。
【請求項６】前記特殊領域においては、前記ランドトラック及び前記グルーブトラックが形成されていることを特徴とする請求の範囲第５項に記載の情報記録媒体。
【請求項７】前記記録情報記録領域においては、前記記録トラックとして、ランドトラック及びグルーブトラックが交互に形成されており、
前記特殊領域においては、前記ランドトラック及び前記グルーブトラックがいずれも形成されていないことを特徴とする請求の範囲第４項に記載の情報記録媒体。
【請求項８】前記暗号化情報記録領域は、全て前記特殊領域によって構成されていることを特徴とする請求の範囲第１項に記載の情報記録媒体。
【請求項９】再生及び記録制御に関する制御情報を記録可能な制御情報記録領域を更に備えており、
前記制御情報記録領域においては、前記特殊領域の開始位置を示す開始アドレス情報、及び、前記特殊領域の終了位置を示す終了アドレス情報のうち少なくとも一方が記録されていることを特徴とする請求の範囲第１項に記載の情報記録媒体。
【請求項１０】前記記録情報記録領域及び前記暗号化情報記録領域の少なくとも一方においては、プリフォーマットアドレス情報が記録されており、
前記特殊領域の開始位置を示す開始アドレス情報、及び、前記特殊領域の終了位置を示す終了アドレス情報のうち少なくとも一方が前記プリフォーマットアドレス情報に付加されていることを特徴とする請求の範囲第１項に記載の情報記録媒体。
【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
記録情報を記録可能な記録情報記録領域と、
前記記録情報を暗号化するための暗号化情報が予めプリ記録された暗号化情報記録領域と
を備えており、
前記暗号化情報記録領域は、少なくともその一部に前記記録情報記録領域とは異なる物理構造を持つ特殊領域を含み、
前記暗号化情報は、前記記録情報を暗号化するための他の暗号化情報を更に暗号化するための情報であり、
前記他の暗号化情報は、前記記録情報と共に前記記録情報記録領域に記録されることを特徴とする情報記録媒体。
【請求項２】
前記記録情報記録領域においては、前記記録情報を記録するための記録トラックが蛇行することによって、ウォブルが形成されており、前記特殊領域においては、前記暗号化情報を記録するための記録トラックが蛇行しないことによって、ウォブルが形成されていないことを特徴とする請求項１に記載の情報記録媒体。
【請求項３】
前記記録情報記録領域においては、前記記録情報を記録するための記録トラックが蛇行することによって、ウォブルが形成されており、
前記特殊領域においては、前記暗号化情報を記録するための記録トラックが蛇行することによって、前記ウォブルとは周波数、振幅、及び、位相のうち少なくとも一つが異なったウォブルが形成されていることを特徴とする請求項１に記載の情報記録媒体。
【請求項４】
前記記録情報記録領域においては、前記記録情報を記録するための記録トラックが蛇行することによって、ウォブルが形成されており、
前記特殊領域においては、前記暗号化情報がエンボスピットにより記録されていることを特徴とする請求項１に記載の情報記録媒体。
【請求項５】
前記記録情報記録領域においては、前記記録トラックとして、ランドトラック及びグルーブトラックが交互に形成されていると共に前記ランドトラックに所定種類のプリ情報を担持するランドプリピットが予め形成されており、
前記特殊領域においては、前記ランドプリピットが形成されていないことを特徴とする請求項４に記載の情報記録媒体。
【請求項６】
前記特殊領域においては、前記ランドトラック及び前記グルーブトラックが形成されていることを特徴とする請求項５に記載の情報記録媒体。
【請求項７】
前記記録情報記録領域においては、前記記録トラックとして、ランドトラック及びグルーブトラックが交互に形成されており、
前記特殊領域においては、前記ランドトラック及び前記グルーブトラックがいずれも形成されていないことを特徴とする請求項４に記載の情報記録媒体。
【請求項８】
前記暗号化情報記録領域は、全て前記特殊領域によって構成されていることを特徴とする請求項１に記載の情報記録媒体。
【請求項９】
再生及び記録制御に関する制御情報を記録可能な制御情報記録領域を更に備えており、
前記制御情報記録領域においては、前記特殊領域の開始位置を示す開始アドレス情報、及び、前記特殊領域の終了位置を示す終了アドレス情報のうち少なくとも一方が記録されていることを特徴とする請求項１に記載の情報記録媒体。
【請求項１０】
前記記録情報記録領域及び前記暗号化情報記録領域の少なくとも一方においては、プリフォーマットアドレス情報が記録されており、
前記特殊領域の開始位置を示す開始アドレス情報、及び、前記特殊領域の終了位置を示す終了アドレス情報のうち少なくとも一方が前記プリフォーマットアドレス情報に付加されていることを特徴とする請求項１に記載の情報記録媒体。
【国際調査報告】
2005122154.tif 000012
2005122154.tif 000013